(57)【要約】【課題】  構造が簡略かつ軽量でありながら、移動が容易で、現場の状況に合わせて作業床の高さを変更することができ、かつ非使用時には嵩をコンパクトにして運搬や収納が容易である高所作業台を提供する。【解決手段】  移動用の車輪１３，１４を有する基台１と、この基台１の上に設置され、上部に作業床２１が設けられた床架台２と、この床架台２に前記作業床２１を囲うように着脱自在に取り付けられる手摺３とを備える。床架台２は、作業床２１と一体に設けられた鉛直方向の筒状支柱２２と、この筒状支柱２２の内周に出し入れ自在に嵌合し、下端部が前記基台１に係脱自在に結合される中支柱２４とを有する。筒状支柱２２に設けられた外側ピン挿通孔および中支柱２４に設けられた内側ピン挿通孔に結合ピン２５を挿通することで両支柱２２，２４を互いに結合する。外側ピン挿通孔が筒状支柱２２の鉛直方向複数箇所に設けられているか、または内側ピン挿通孔が中支柱２４の鉛直方向複数箇所に設けられているものとする。【選択図】        図２
2007332727.tif 000002
【特許請求の範囲】
【請求項１】
移動用の車輪を有する基台と、この基台の上に設置され、上部に作業床が設けられた床架台と、この床架台に前記作業床を囲うように着脱自在に取り付けられる手摺とを備え、
前記床架台は、前記作業床と一体に設けられた鉛直方向の筒状支柱と、この筒状支柱の内周に出し入れ自在に嵌合し、下端部が前記基台に係脱自在に結合される中支柱とを有し、前記筒状支柱に設けられた外側ピン挿通孔および前記中支柱に設けられた内側ピン挿通孔に結合ピンを挿通することで両支柱を互いに結合するものであり、前記外側ピン挿通孔が筒状支柱の鉛直方向複数箇所に設けられているか、または前記内側ピン挿通孔が中支柱の鉛直方向複数箇所に設けられていることを特徴とする高所作業台。
【請求項２】
請求項１において、前記結合ピンは、前記筒状支柱および中支柱の結合時において両支柱から突出する端部にこの結合ピンの軸心と交差する抜け止めピン孔が設けられ、この抜け止めピン孔に抜け止めピンを挿通して抜け止めするものであり、前記抜け止めピンは、前記抜け止めピン孔に挿通される挿通部と、結合ピンの外周に係合する係合部と、前記挿通部の一方端と前記係合部の一方端とを連接し、挿通部と係合部との間隔が互いに拡大および縮小する方向の弾性を有する弾性部とを有するものである高所作業台。
【請求項３】
請求項１または請求項２において、一方端同士が互いに回動自在に連結され、他方端が前記基台および前記床架台にそれぞれ連結された上下一対のリンクを有し、この上下一対のリンクは、前記中支柱の下端部が前記基台に結合された状態で前記作業床を基台に対して所定の高さに位置させた場合に鉛直方向を向く直線状となって前記床架台の荷重を支持するものであり、さらにこの直線状となった上下一対のリンクの連結部の外周に跨って嵌合して上下一対のリンクを直線状に保持する保持部材を有する安全リンク機構を設けた高所作業台。
【請求項４】
請求項１ないし請求項３のいずれか１項において、前記車輪として、主車輪と、この主車輪よりも接地部の位置が若干高い補助車輪とが設けられた高所作業台。
【発明の詳細な説明】
【技術分野】
【０００１】
この発明は、建築現場等で高所作業を行なう場合に使用される高所作業台に関する。
【背景技術】
【０００２】
この種の高所作業台には、移動が容易で、現場の状況に合わせて作業床の高さを変更することができ、非使用時には嵩をコンパクトにして運搬や収納が容易であることが求められる。このような要望に答えるものとして、例えば特許文献１に記載されたものがある。
【特許文献１】特開２００４−１６２２８５号公報
【発明の開示】
【発明が解決しようとする課題】
【０００３】
この高所作業台（昇降式移動足場）は、車輪を備えた基台上に、複数段のフレームを積重してなる昇降部が設けられ、最上段のフレームに作業床が設置されたものであり、各段のフレームは上下に折り畳み自在とされ、また基台と昇降部とが分割自在に連結されている。
この構成であると、基台に車輪が設けられているので、移動が容易であり、また各段のフレームは上下に折り畳み自在であるので、作業床の高さを変更することができ、また、基台と昇降部とが分割自在であるので、非使用時の嵩をコンパクトにすることができる。
【０００４】
しかし、上記高所作業台は以下の問題を有する。すなわち、上記高所作業台は、各段における下側フレームに対して上側フレームを昇降させる機構として、２本の斜材をＸ状に連結したスライダクランクを用いているが、このスライダクランクは下側フレームと上側フレームの間隔を調節するだけの役割しかなく、上昇させたフレームを支持する役割は別に設けたタラップが担っている。このような荷重の支持には関与しないスライダクランクが設けられているため、構造が複雑となり、重量が重くなっている。また、各段のフレームはスライダクランクを拡張させた状態と折り畳んだ状態の２段階にしか昇降させることができないため、現場の状況に合った作業床の高さとするのが難しい。
【０００５】
また、高所作業台が使用される現場では、図１０に示すような床面部７１ａと溝部７１ｂとが交互に形成された断面波形のデッキプレート７１が床面に敷設されていることが多い。このため、特許文献１のものに限らず、移動用の車輪を有する一般的な高所作業台には、移動時に車輪７２がデッキプレート７１の溝部７１ｂに嵌り込んだ場合、車輪７２が空転して動きが取れなくなるという問題がある。
【０００６】
この発明の目的は、構造が簡略かつ軽量でありながら、移動が容易で、現場の状況に合わせて作業床の高さを変更することができ、かつ非使用時には嵩をコンパクトにして運搬や収納が容易である高所作業台を提供することである。
また、この発明の他の目的は、デッキプレートが敷設された現場でも、溝部に車輪が取られることなく移動が容易な高所作業台とすることである。
【課題を解決するための手段】
【０００７】
この発明の高所作業台は、移動用の車輪を有する基台と、この基台の上に設置され、上部に作業床が設けられた床架台と、この床架台に前記作業床を囲うように着脱自在に取り付けられる手摺とを備え、前記床架台は、前記作業床と一体に設けられた鉛直方向の筒状支柱と、この筒状支柱の内周に出し入れ自在に嵌合し、下端部が前記基台に係脱自在に結合される中支柱とを有し、前記筒状支柱に設けられた外側ピン挿通孔および前記中支柱に設けられた内側ピン挿通孔に結合ピンを挿通することで両支柱を互いに結合するものであり、前記外側ピン挿通孔が筒状支柱の鉛直方向複数箇所に設けられているか、または前記内側ピン挿通孔が中支柱の鉛直方向複数箇所に設けられていることを特徴とする。
【０００８】
この発明の構成によれば、基台に移動用の車輪が設けられているので、容易に移動させることができる。また、床架台の筒状支柱と中支柱を結合する結合ピンを挿通する外側ピン挿通孔および内側ピン挿通孔を鉛直方向複数箇所の中から適宜選択することで、作業床の高さを変更することができる。また、床架台に対して手摺は着脱自在であり、かつ床架台の中支柱と基台とが係脱自在であるため、基台と床架台と手摺とに分割することができ、非使用時の嵩をコンパクトにできる。この高所作業台は、荷重を支持する支柱である筒状支柱と中支柱との出し入れ量を変えることで作業床の高さを変更する構成であるため、作業床の高さを変更するためだけの部材が不要であり、全体の構造が簡略かつ軽量なものとすることができる。
【０００９】
前記結合ピンは、前記筒状支柱および中支柱の結合時において両支柱から突出する端部にこの結合ピンの軸心と交差する抜け止めピン孔が設けられ、この抜け止めピン孔に抜け止めピンを挿通して抜け止めするものであり、前記抜け止めピンは、前記抜け止めピン孔に挿通される挿通部と、結合ピンの外周に係合する係合部と、前記挿通部の一方端と前記係合部の一方端とを連接し、挿通部と係合部との間隔が互いに拡大および縮小する方向の弾性を有する弾性部とを有するものとするのが良い。
抜け止めピンは、弾性部の弾性を利用して挿通部に対して係合部を広げることにより、挿通部を結合ピンの抜け止めピン孔に挿通および引き抜くことができる。挿通部が抜け止めピン孔に挿通され、係合部に外力が付与されていない状態では、弾性部の弾性により係合部が結合ピンに係合するため、挿通部の抜けが防止される。この抜け止めピンを用いると、結合ピンを変形加工することなく結合ピンの抜け止め措置をすることができるため、結合ピンを繰り返し使用することが可能になる。
【００１０】
この発明において、一方端同士が互いに回動自在に連結され、他方端が前記基台および前記床架台にそれぞれ連結された上下一対のリンクを有し、この上下一対のリンクは、前記中支柱の下端部が前記基台に結合された状態で前記作業床を基台に対して所定の高さに位置させた場合に鉛直方向を向く直線状となって前記床架台の荷重を支持するものであり、さらにこの直線状となった上下一対のリンクの連結部の外周に跨って嵌合して上下一対のリンクを直線状に保持する保持部材を有する安全リンク機構を設けるのが良い。
安全リンク機構が設けられていると、直線状に保持された上下一対のリンクによって床架台が支持されるので、作業床の高さ変更時における結合ピンの抜き取り作業や挿通作業を安全に行なえる。
【００１１】
前記車輪として、主車輪と、この主車輪よりも接地部の位置が若干高い補助車輪とを設けるのが良い。
このように主車輪と補助車輪とが設けられていると、平坦の床面では主車輪が接地して補助車輪は床面から浮上した状態で移動させ、主車輪が床面の凹部に嵌り込んだ場合には、主車輪に代わって補助車輪が接地した状態となって移動させることができる。
【発明の効果】
【００１２】
この発明の高所作業台は、移動用の車輪を有する基台と、この基台の上に設置され、上部に作業床が設けられた床架台と、この床架台に前記作業床を囲うように着脱自在に取り付けられる手摺とを備え、前記床架台は、前記作業床と一体に設けられた鉛直方向の筒状支柱と、この筒状支柱の内周に出し入れ自在に嵌合し、下端部が前記基台に係脱自在に結合される中支柱とを有し、前記筒状支柱に設けられた外側ピン挿通孔および前記中支柱に設けられた内側ピン挿通孔に結合ピンを挿通することで両支柱を互いに結合するものであり、前記外側ピン挿通孔が筒状支柱の鉛直方向複数箇所に設けられているか、または前記内側ピン挿通孔が中支柱の鉛直方向複数箇所に設けられているため、構造が簡略かつ軽量でありながら、移動が容易で、現場の状況に合わせて作業床の高さを変更することができ、かつ非使用時には嵩をコンパクトにして運搬や収納が容易なものとすることができる。
【００１３】
また、前記車輪として、主車輪と、この主車輪よりも接地部の位置が若干高い補助車輪とを設けたため、デッキプレートが敷設された現場でも、溝部に車輪が取られることなく移動させることができる。
【発明を実施するための最良の形態】
【００１４】
この発明の実施形態を図１ないし図９と共に説明する。この高所作業台は、図１の分解斜視図に示すように、基台１、床架台２、手摺３、梯子４、揺れ止めブレス５、および安全リンク機構６からなり、それぞれに分割可能となっている。図２は組立状態を示す正面図および側面図、図３は異なる組立状態を示す正面図および側面図である。なお、図２（Ａ）は図面が複雑になるのを避けるため梯子４の図示が省略してある。また、以下の説明では、図２（Ａ）および図３（Ａ）における紙面に直交する方向を前後、紙面の左右方向を左右としている。
【００１５】
基台１は、直方体に組んだ主フレーム１１の前後両端部から左右に張り出す車輪支持フレーム１２が設けられ、各車輪支持フレーム１２の下面に移動用の車輪が取り付けられている。車輪は、左右外側に配置した主車輪１３と、左右内側に配置した補助車輪１４とからなる。これら車輪のうち少なくとも主車輪１３は、鉛直軸周りに３６０度回転自在に取り付けておくのが望ましい。補助車輪１４は、主車輪１３に比べて小径であり、かつ主車輪１３よりも接地部の位置が若干高くなるよう取り付けられている。このため、水平な床面上では、主車輪１３のみが接地し、補助車輪１４は床面から浮上した状態となる。
【００１６】
主フレーム１１の上部４箇所に、床架台２を設置するための筒状部材１５が立設されている。図４に示すように、この筒状部材１５には水平方向に貫通する結合ピン挿通孔１５ａが設けられている。筒状部材１５の前後内側および左右内側には、板状のブレス取付片１６が筒状部材１５および主フレーム１１に固着して設けられている。また、主フレーム１１の上部中央部には、板状のリンク取付片１７が設けられている。
【００１７】
床架台２は、平面視長方形の枠体２１ａの内側にパンチングメタル２１ｂを設けてなる作業床２１を有する。この作業床２１の四隅部に、作業床２１よりも下方に延びる鉛直方向の筒状支柱２２が一体に取り付けられている。各筒状支柱２２は、横桟２３により互いに連結されている。筒状支柱２２の内周に、中支柱２４が出し入れ自在に嵌合している。図７（Ａ），（Ｂ）に示すように、筒状支柱２２に設けた水平方向に貫通する外側ピン挿通孔２２ａ、および中支柱２４に設けた水平方向に貫通する内側ピン挿通孔２４ａに結合ピン２５を挿通することにより、筒状支柱２２と中支柱２４とを互いに結合している。
【００１８】
作業床２１の高さを複数段階に変更できるようにするために、外側ピン挿通孔２２ａを筒状支柱２２の鉛直方向複数箇所に設けるか、または内側ピン挿通孔２４ａを中支柱２４の鉛直方向複数箇所に設け、結合ピン２５を挿通するピン挿通孔を複数箇所のうちから選択するものとしている。この実施形態の場合、外側ピン挿通孔２２ａを筒状支柱２２の上端部および下端部の２箇所に設け（図５、図６）、内側ピン挿通孔２４ａを中支柱２４の上端部１箇所に設けている（図５）。したがって、作業床２１の高さを２段階に変更できる。
【００１９】
前記結合ピン２５は、一方端に外側ピン挿通孔２２ａおよび内側ピン挿通孔２４ａよりも大径の鍔２５ａを有し、他端部には結合ピン２５の軸心に交差する抜け止めピン孔２５ｂが設けられている。筒状支柱２２および中支柱２４を結合する際には、結合ピン２５を前記他端側から外側ピン挿通孔２２ａおよび内側ピン挿通孔２４ａに挿通し、両支柱２２，２４から突出した抜け止めピン孔２５ｂに抜け止めピン２９を挿通して抜け止めとする。
図７（Ｃ）に示すように、抜け止めピン２９は、細い金属製線材を屈曲成形したものであり、前記抜け止めピン孔２５ｂに挿通される挿通部２９ａと、結合ピン２５の外周に係合する係合部２９ｂと、前記挿通部２９ａの一方端および前記係合部２９ｂの一方端とを連接し、挿通部２９ａと係合部２９ｂとの間隔が互いに拡大および縮小する方向の弾性を有する弾性部２９ｃとからなる。弾性部２９ｃは、１８０度屈曲させた形状とすることで、弾性を有するものとしている。
【００２０】
抜け止めピン２９は、図７（Ｃ）において二点鎖線で示すように、弾性部２９ｃの弾性を利用して挿通部２９ａに対して係合部２９ｂを広げることにより、挿通部２９ａを結合ピン２５の抜け止めピン孔２５ｂに挿通および抜き取ることができる。挿通部２９ａが抜け止めピン２５ｂに挿通され、係合部２９ｂに外力が付与されていない状態では、図７（Ｃ）において実線で示すように、弾性部２９ｃの弾性により係合部２９ｂが結合ピン２５の外周に係合するため、挿通部２９ａの抜けが防止される。
【００２１】
中支柱２４の下端部には、前記基台１の筒状部材１５に中支柱２４を結合するための結合ピン挿通孔２４ｂが設けられている（図４）。筒状部材１５と中支柱２４との結合にも、前記結合ピン２５および抜け止めピン２９が用いられる。筒状部材１５の結合ピン挿通孔１５ａおよび中支柱２４の結合ピン挿通孔２４ｂに結合ピン２５を挿通し、抜け止めピン２９で抜け止め措置をすることにより、筒状部材１５と中支柱２４とが係脱自在に結合される。
【００２２】
筒状支柱２２の下端部の前後内側および左右内側には、前記基台１のブレス取付片１６に対応して、板状のブレス取付片２６が筒状支柱２２および横桟２３に固着して設けられている。また、床架台２の下部中央部には、前記基台１のリンク取付片１７に対応して、リンク取付片２７が設けられている。
【００２３】
また、図６の部分拡大図に示すように、作業床２１の四隅部に、筒状支柱２２の上端部と一体に手摺取付部材２８が設けられている。この手摺取付部材２８は、鉛直方向を向いた筒状の部材で、上下中央部に水平方向に貫通する結合ピン挿通孔２８ａが設けられている。
【００２４】
手摺３は、前記手摺取付部材２８に対応して配置された４本の縦パイプ３１と、左右両面部および背面部における隣合う縦パイプ３１同士間に設けた横パイプ３２および幅木３３と、正面部における隣合う縦パイプ３１同士間に係脱自在に設けたチェーン３４とからなる。各縦パイプ３１の下端部には水平方向に貫通する結合ピン挿通孔３１ａが設けられている（図６）。この手摺３は、縦パイプ３１の下端部を前記手摺取付部材２８に挿入し、手摺取付部材２８の結合ピン挿通孔２８ａおよび縦パイプ３１の結合ピン挿通孔３１ａに前記結合ピン２５を挿通し、抜け止めピン２９で抜け止め措置をすることにより、床架台２に取り付けられる。
【００２５】
梯子４は、左右一対の縦材４１間に複数段のステップ４２を設けたもので、縦材４１の上下２箇所に取り付けたフック４３を図２の状態にある基台１の主フレーム１１および床架台２の横桟２３に引っ掛けることにより、この高所作業台の正面側に取り付けられる。
【００２６】
揺れ止めブレス５は、高所作業台の前後左右各面における互いに対角に位置する前記基台１のブレス取付片１６および前記床架台２のブレス取付片２６間に取り付けられる。なお、図１には前後左右各面のうちの１面分の揺れ止めブレス５だけが表示されているが、実際には全ての面に揺れ止めブレス５が設けられる。この実施形態では、揺れ止めブレス５が帯状の細長い板材とされ、その両端部とブレス取付片１６，２６とがボルト・ナット５１により締結される。また、互いに交差する２本の揺れ止めブレス５の交差部同士も、ボルト・ナット５１により締結される。揺れ止めブレス５は、図２の状態のとき使用する高床用のものと、図３の状態のときに使用する低床用のものとが用意されている。
【００２７】
安全リンク機構６は、図８に示すように、一端部同士を互いに回動自在に連結した上下一対のリンク６１，６２を有する。上リンク６１の他端部は前記床架台２のリンク取付片２７に回動自在に連結され、下リンク６２の他端部は前記基台１のリンク取付片１７に回動自在に連結されている。作業床２１の高さを２段階の上位側としたとき、すなわち図２の状態にあるとき、上下一対のリンク６１，６２は鉛直方向を向く直線状になるよう設定されている。上リンク６１の外周には筒状の保持部材６３が摺動自在に嵌合しており、上下一対のリンク６１，６２が直線状になった場合、この保持部材６３が自重で下リンク６２に設けた規制ねじ６４に下端が当接する位置まで落下して、上下リンク６１，６２の連結部に跨って嵌合する。これにより、上下リンク６１，６２が直線状のままに保持される。鉛直方向を向く直線状になった上下一対のリンク６１，６２は、床架台２の荷重を支持することができる。
【００２８】
この高所作業台の組立作業の手順を説明する。
まず、床架台２に手摺３を取り付ける。その方法は、手摺３の縦パイプ３１の下端部を床架台２の手摺取付部材２８に差し込み、手摺取付部材２８の結合ピン挿通孔２８ａおよび縦パイプ３１の結合ピン挿通孔３１ａに結合ピン２５を挿通して、手摺取付部材２８と縦パイプ３１とを結合する。なお、組立前の床架台２は、筒状支柱２２の上端部の外側ピン挿通孔２２ａおよび中支柱２４の内側ピン挿通孔２４ａに結合ピン２５を挿通して、筒状支柱２２と中支柱２４とを結合しており、中支柱２４はその大半が筒状支柱２２の中に収容された状態となっている。
【００２９】
次に、基台１に上記床架台２および手摺３を設置する。その方法は、床架台２の中支柱２４の下端部を基台１の筒状部材１５に差し込み、筒状部材１５の結合ピン挿通孔１５ａおよび中支柱２４の下端部の結合ピン挿通孔２４ｂに結合ピン２５を挿通して、筒状部材１５と中支柱２４とを結合する。作業床２１を低くして使用する場合は、この状態で低床用の揺れ止めブレス５をブレス取付片１６，２６間に取り付ける。図３は、揺れ止めブレス５を取り付けた状態を示している。
【００３０】
作業床２１を高くして使用する場合は、床架台２のリンク取付片２７と基台１のリンク取付片１７間に安全リンク機構６を取り付ける。そして、筒状支柱２２の上端部の外側ピン挿通孔２２ａおよび中支柱２４の内側ピン挿通孔２４ａに挿通されている結合ピン２５を抜き取って、筒状支柱２２と中支柱２４との結合を解除した後、作業床２１を所定の高さまで上昇させる。その状態で、筒状支柱２２の下端部の外側ピン挿通孔２２ａおよび中支柱２４の内側ピン挿通孔２４ａに結合ピン２５を挿通し、筒状支柱２２と中支柱２４とを結合する。最後に、高床用の揺れ止めブレス５をブレス取付片１６，２６間に取り付ける。図２は、揺れ止めブレス５を取り付けた状態を示している。
【００３１】
上記作業床２１の変更時、作業床２１を所定の高さまで上昇させると、安全リンク機構６の上下一対のリンク６１，６２が直線状になり、それに伴って筒状体６３が上下リンク６１，６２に跨って嵌合する。これによって、上下リンク６１，６２が直線状態に固定され、床架台２の荷重を上下一対のリンク６１，６２が支持するようになるため、結合ピン２５の挿通作業を安全に行なえる。
【００３２】
以上の組立過程において、床架台２の手摺取付部材２８と手摺３の縦パイプ３１との結合、床架台２の中支柱２４と基台１の筒状部材１５との結合、および床架台２の筒状支柱２２と中支柱２４との結合に共通の結合ピン２５を用いることができるため、作業効率が良い。また、結合ピン２５の抜け止め用として抜け止めピン２９を用いることにより、結合ピン２５を変形加工することなく結合ピン２５の抜け止め措置をすることができ、結合ピン２５を繰り返し使用することが可能である。このため、作業性および経済性に優れている。
【００３３】
このように組み立てられた高所作業台は、車輪１３，１４を有するため容易に移動させることができる。通常は、補助車輪１４は床面から浮上しており、主車輪１３のみが接地した状態となっている。図９に示すように、主車輪１３がデッキプレート７１の溝部７１ｂに嵌り込んだ場合でも、主車輪１３に代わって隣接する補助車輪１４がデッキプレート７１の床面部７１ａに接地する状態となるため、難なく移動させることができる。
【００３４】
この実施形態では、筒状支柱２２の外側ピン挿通孔２２ａを鉛直方向複数箇所に設けて作業床２１の高さを変更する構成としたが、中支柱２４の内側ピン挿通孔２４ａを鉛直方向複数箇所に設けて作業床２１の高さを変更するようにしても良い。また、この実施形態では、筒状支柱２２の外側ピン挿通孔２２ａを鉛直方向の２箇所に設け、作業床２１の高さを２段階に変更可能な構成としたが、外側ピン挿通孔２２ａ（または内側ピン挿通孔２４ａ）を鉛直方向の３箇所以上に設け、作業床２１の高さを３段階以上に変更可能としても良い。その場合、各作業床高さに応じた揺れ止めブレス５および安全リンク機構６を用意するか、または各作業床高さに応じて揺れ止めブレス５の長さ、および安全リンク機構６のリンク６１，６２の長さを調節できるようにする。
【図面の簡単な説明】
【００３５】
【図１】この発明の高所作業台の分解斜視図である。
【図２】（Ａ）は同高所作業台の組立状態の正面図、（Ｂ）はその側面図である。
【図３】（Ａ）は同高所作業台の異なる組立状態の正面図、（Ｂ）はその側面図である。
【図４】図２のIV部拡大図である。
【図５】図２のＶ部拡大図である。
【図６】図２のVI部拡大図である。
【図７】（Ａ）は筒状支柱および中支柱の結合部の平面断面図、（Ｂ）はその正面断面図、（Ｃ）は図７（Ｂ）のＡ矢視図である。
【図８】（Ａ）は安全リンク機構の正面図、（Ｂ）はその部分断面図である。
【図９】主車輪および補助車輪の動作を示す説明図である。
【図１０】従来の車輪の動作を示す説明図である。
【符号の説明】
【００３６】
１…基台
２…床架台
３…手摺
４…梯子
５…揺れ止めブレス
６…安全リンク機構
１３…主車輪
１４…補助車輪
１５…筒状部材
２１…作業床
２２…筒状支柱
２２ａ…外側ピン挿通孔
２４…中支柱
２４ａ…内側ピン挿通孔
２５…結合ピン
２５ｂ…抜け止めピン孔
２８…手摺取付部材
２９…抜け止めピン
２９ａ…挿通部
２９ｂ…係合部
２９ｃ…弾性部
６１…上リンク
６２…下リンク
６３…保持部材
【図１】
2007332727.tif 000003
【図２】
2007332727.tif 000004
【図３】
2007332727.tif 000005
【図４】
2007332727.tif 000006
【図５】
2007332727.tif 000007
【図６】
2007332727.tif 000008
【図７】
2007332727.tif 000009
【図８】
2007332727.tif 000010
【図９】
2007332727.tif 000011
【図１０】
2007332727.tif 000012